(57)【特許請求の範囲】
【請求項１】
シリンダの先端外周部にバイパスチャンバー部の先端にルアー先を設けたルアー先ハブが嵌着され、シリンダの後端外周部にフィンガーグリップが嵌着され、前記シリンダ内に薬剤が充填されてストッパーで封止されると共に、内周に環状溝が設けられ前記ルアー先に嵌合されてラビリンス機構を構成するラビリンス筒部を備えたキャップが、前記ルアー先を覆って前記ルアー先ハブに係脱部を介して着脱可能に装着されるようにした容器兼用注射器であって、
前記係脱部は、
前記ルアー先の外側に間隔をあけて前記バイパスチャンバー部の前方に突き出してルアー先と同心に設けられた外部カラーと、
該外部カラーの先端側内周部に形成された環状溝と、
前記キャップのラビリンス筒部の外側に設けたリング状部の外周に周方向に所定間隔をあけて設けられ、前記外部カラーの環状溝に係合する突起と、
前記外部カラーの前端面と前記リング状部に形成されたフランジ面のいずれか一方に周方向に所定間隔をあけて複数が設けられて、他方に当接することによってそれらの対向面間に微小間隙を形成し、前記キャップの外側と前記ラビリンス機構とを前記外部カラーとリング状部との微小間隙を通して連通させる突出部とを備えていることを特徴とする容器兼用注射器。
【請求項２】
シリンダの先端外周部にバイパスチャンバー部の先端にルアー先を設けたルアー先ハブが嵌着され、シリンダの後端外周部にフィンガーグリップが嵌着され、前記シリンダ内に薬剤が充填されてストッパーで封止されると共に、内周に環状溝が設けられ前記ルアー先に嵌合されてラビリンス機構を構成するラビリンス筒部を備えたキャップが、前記ルアー先を覆って前記ルアー先ハブに係脱部を介して着脱可能に装着されるようにした容器兼用注射器であって、
前記係脱部は、
前記ルアー先の基部を前記バイパスチャンバー部に連絡して設けた筒先基部と、
該筒先基部の先端外周に形成された環状溝と、
前記キャップの基端部に前記ラビリンス筒部に連絡して設けたリング状部の内周に周方向に所定間隔をあけて設けられ、前記筒先基部の前記環状溝に係合する突起と、
前記筒先基部の先端面と前記リング状部に形成されたフランジ面のいずれか一方に周方向に所定間隔をあけて複数が設けられて、他方に当接することによってそれらの対向面間に微小間隙を形成し、前記キャップの外側と前記ラビリンス機構とを前記筒先基部とリング状部との微小間隙を通して連通させる突出部とを備えていることを特徴とする容器兼用注射器。
【請求項３】
シリンダの先端外周部にバイパスチャンバー部の先端にルアー先を設けたルアー先ハブが嵌着されると共に、前記ルアー先に針もとを嵌合させて注射針が装着され、シリンダの後端外周部にフィンガーグリップが嵌着され、前記シリンダ内に薬剤が充填されてストッパーで封止されると共に、内周に環状溝が設けられ前記注射針の針もとの外周に嵌合されてラビリンス機構を構成するラビリンス筒部を備えたプロテクターが、前記注射針を覆って前記ルアー先ハブに係脱部を介して着脱可能に装着されるようにした容器兼用注射器であって、
前記係脱部は、
前記ルアー先の外側に間隔をあけて前記バイパスチャンバー部の前方に突き出してルアー先と同心に設けられた外部カラーと、
該外部カラーの先端側内周部に形成された環状溝と、
前記プロテクターのラビリンス筒部の外側に設けたリング状部の外周に周方向に所定間隔を空けて設けられ、前記外部カラーの環状溝に係合する突起と、
前記外部カラーの前端面と前記リング状部に形成されたフランジ面のいずれか一方に周方向に所定間隔をあけて複数が設けられて、他方に当接することによってそれらの対向面間に微小間隙を形成し、前記プロテクターの外側と前記ラビリンス機構とを前記外部カラーとリング状部との微小間隙を通して連通させる突出部とを備えていることを特徴とする容器兼用注射器。
【請求項４】
シリンダの先端外周部にバイパスチャンバー部の先端に針取付部を設けたルアー先ハブが嵌着されて、前記針取付部に注射針を固定されると共に、シリンダの後端外周部にフィンガーグリップが嵌着され、前記シリンダ内に薬剤が充填されてストッパーで封止されると共に、内周に環状溝が設けられ前記ルアー先に嵌合されてラビリンス機構を構成するラビリンス筒部を備えたプロテクターが、前記注射針を覆って前記ルアー先ハブに係脱部を介して着脱可能に装着されるようにした容器兼用注射器であって、
前記係脱部は、
前記針取付部の基部を前記バイパスチャンバー部に連絡して設けた筒先基部と、  
該筒先基部の先端外周に形成された環状溝と、
前記プロテクターの前記ラビリンス筒部に連絡して設けたリング状部の内周に周方向に所定間隔をあけて設けられ、前記筒先基部の前記環状溝に係合する突起と、
前記筒先基部の先端面と前記リング状部に形成されたフランジ面のいずれか一方に周方向に所定間隔をあけて複数が設けられて、他方に当接することによってそれらの対向面間に微小間隙を形成し、前記プロテクターの外側と前記ラビリンス機構とを前記筒先基部とリング状部との微小間隙を通して連通させる突出部とを備えていることを特徴とする容器兼用注射器。
【発明の詳細な説明】
【技術分野】
【０００１】
本発明は、シリンダにおける前部のストッパーの先端からルアー先または注射針の先端までの滅菌を容易に、かつ確実に行える共に、滅菌後における無菌性を保証可能とした容器兼用注射器に関するものである。
【背景技術】
【０００２】
ガラス製のシリンダの先端外周部にハブルアーロックが嵌着され、シリンダの後端外周部にフィンガーグリップが嵌着され、かつ前記シリンダの内部に薬剤が充填されてストッパーで封液されて提供される容器兼用注射器において、前記ハブルアーロックのルアー先に密着して被せる保護キャップが設けられ、該保護キャップには、前記ハブルアーロックのルアーロック部の先端に凹凸係合してルアー先から保護キャップが簡単に外れるのを防ぐ抜け止めが設けられると共に、前記ルアー先に嵌合する先端穴部の内周に螺旋状凹凸が形成されて、保護キャップの内周面とルアー先の外周面との間をラビリンス構造とし、気体または蒸気は通るが微生物等は通らないようにして、滅菌と滅菌後のルアー先における無菌性を保証するようにしたものが知られている（例えば、特許文献１参照。）。
【特許文献１】特開平８−３０８９２６号公報（第２頁第２欄第３５行〜第３頁第３欄第２６行、図２１）
【発明の開示】
【発明が解決しようとする課題】
【０００３】
しかし、前記容器兼用注射器においては、前記ハブルアーロックが注射針を取り付けるためにＩＳＯ規格に適合したテーパを有するルアー先と注射針を安全に固定するロックネジを備えている。ところで、容器兼用注射器が前記保護キャップを装着した形態で医療機関に提供される場合、医師が保護キャップを外してから自分で選んだサイズの注射針をルアー先に取り付けて使用するので、薬剤やその投与の仕方により、必ずしも前記ロックネジを必要としない場合がある。そのような場合は、むしろロックネジがあると注射針を、その針もとの外周フランジ部をロックネジにねじ込みながらルアー先に装着しなければならないと共に、ロックネジに針もとをねじ込んだ注射針は針の刃面がどの向きに止まるかが判らない不便さもあって、ルアー先だけを有するハブ部品（注射針取付部）を備えて無菌性を保証可能とした容器兼用注射器を要望されることが多い。
【０００４】
本発明は、上記事情に鑑みてなされたものであって、シリンダにおける前部のストッパーの先端からルアー先または注射針の先端までの滅菌を容易に、かつ確実に行えるようにすると共に、滅菌後における無菌性を確実に保証することができ、取り扱いが容易である容器兼用注射器を提供することを目的とする。
【課題を解決するための手段】
【０００５】
本発明は、前記課題を解決するために、以下の点を特徴としている。  
すなわち、請求項１に係る容器兼用注射器は、シリンダの先端外周部にバイパスチャンバー部の先端にルアー先を設けたルアー先ハブが嵌着され、シリンダの後端外周部にフィンガーグリップが嵌着され、前記シリンダ内に薬剤が充填されてストッパーで封止されると共に、内周に環状溝が設けられ前記ルアー先に嵌合されてラビリンス機構を構成するラビリンス筒部を備えたキャップが、前記ルアー先を覆って前記ルアー先ハブに係脱部を介して着脱可能に装着されるようにした容器兼用注射器であって、前記係脱部は、前記ルアー先の外側に間隔をあけて前記バイパスチャンバー部の前方に突き出してルアー先と同心に設けられた外部カラーと、該外部カラーの先端側内周部に形成された環状溝と、前記キャップのラビリンス筒部の外側に設けたリング状部の外周に周方向に所定間隔を空けて設けられ、前記外部カラーの環状溝に係合する突起と、前記外部カラーの前端面と前記リング状部に形成されたフランジ面のいずれか一方に周方向に所定間隔をあけて複数が設けられて、他方に当接することによってそれらの対向面間に微小間隙を形成し、前記キャップの外側と前記ラビリンス機構とを前記外部カラーとリング状部との微小間隙を通して連通させる突出部とを備えていることを特徴としている。
【０００６】
請求項２に係る容器兼用注射器は、  シリンダの先端外周部にバイパスチャンバー部の先端にルアー先を設けたルアー先ハブが嵌着され、シリンダの後端外周部にフィンガーグリップが嵌着され、前記シリンダ内に薬剤が充填されてストッパーで封止されると共に、内周に環状溝が設けられ前記ルアー先に嵌合されてラビリンス機構を構成するラビリンス筒部を備えたキャップが、前記ルアー先を覆って前記ルアー先ハブに係脱部を介して着脱可能に装着されるようにした容器兼用注射器であって、前記係脱部は、前記ルアー先の基部を前記バイパスチャンバー部に連絡して設けた筒先基部と、該筒先基部の先端外周に形成された環状溝と、前記キャップの基端部に前記ラビリンス筒部に連絡して設けたリング状部の内周に周方向に所定間隔をあけて設けられ、前記筒先基部の前記環状溝に係合する突起と、前記筒先基部の先端面と前記リング状部に形成されたフランジ面のいずれか一方に周方向に所定間隔をあけて複数が設けられて、他方に当接することによってそれらの対向面間に微小間隙を形成し、前記キャップの外側と前記ラビリンス機構とを前記筒先基部とリング状部との微小間隙を通して連通させる突出部とを備えていることを特徴としている。
【０００７】
請求項３に係る容器兼用注射器は、シリンダの先端外周部にバイパスチャンバー部の先端にルアー先を設けたルアー先ハブが嵌着されると共に、前記ルアー先に針もとを嵌合させて注射針が装着され、シリンダの後端外周部にフィンガーグリップが嵌着され、前記シリンダ内に薬剤が充填されてストッパーで封止されると共に、内周に環状溝が設けられ前記注射針の針もとの外周に嵌合されてラビリンス機構を構成するラビリンス筒部を備えたプロテクターが、前記注射針を覆って前記ルアー先ハブに係脱部を介して着脱可能に装着されるようにした容器兼用注射器であって、前記係脱部は、前記ルアー先の外側に間隔をあけて前記バイパスチャンバー部の前方に突き出してルアー先と同心に設けられた外部カラーと、該外部カラーの先端側内周部に形成された環状溝と、前記プロテクターのラビリンス筒部の外側に設けたリング状部の外周に周方向に所定間隔を空けて設けられ、前記外部カラーの環状溝に係合する突起と、前記外部カラーの前端面と前記リング状部に形成されたフランジ面のいずれか一方に周方向に所定間隔をあけて複数が設けられて、他方に当接することによってそれらの対向面間に微小間隙を形成し、前記プロテクターの外側と前記ラビリンス機構とを前記外部カラーとリング状部との微小間隙を通して連通させる突出部とを備えていることを特徴としている。
【０００８】
請求項４に係る容器兼用注射器は、シリンダの先端外周部にバイパスチャンバー部の先端に針取付部を設けたルアー先ハブが嵌着されて、前記針取付部に注射針を固定されると共に、シリンダの後端外周部にフィンガーグリップが嵌着され、前記シリンダ内に薬剤が充填されてストッパーで封止されると共に、内周に環状溝が設けられ前記ルアー先に嵌合されてラビリンス機構を構成するラビリンス筒部を備えたプロテクターが、前記注射針を覆って前記ルアー先ハブに係脱部を介して着脱可能に装着されるようにした容器兼用注射器であって、前記係脱部は、前記針取付部の基部を前記バイパスチャンバー部に連絡して設けた筒先基部と、  該筒先基部の先端外周に形成された環状溝と、前記プロテクターの前記ラビリンス筒部に連絡して設けたリング状部の内周に周方向に所定間隔をあけて設けられ、前記筒先基部の前記環状溝に係合する突起と、前記筒先基部の先端面と前記リング状部に形成されたフランジ面のいずれか一方に周方向に所定間隔をあけて複数が設けられて、他方に当接することによってそれらの対向面間に微小間隙を形成し、前記プロテクターの外側と前記ラビリンス機構とを前記筒先基部とリング状部との微小間隙を通して連通させる突出部とを備えていることを特徴としている。
【発明の効果】
【０００９】
本発明によれば、以下の優れた効果を奏する。
請求項１に係る容器兼用注射器によれば、ルアー先ハブの外部カラーに、従来のハブルアーロックのように注射針をルアーロック部に固定するロックネジが設けられていないので、医者が使用するにあたり、注射針の針もとをルアー先に回転しながら挿入する必要がないと共に、注射針の刃面の位置を自由に選択することができて、簡単に注射針を容器兼用注射器へ装着することができる。
また、前記容器兼用注射器は各部品の組み付け、滅菌、包装等の多くの工程を経た後に包装されて最終製品として出荷される間は、キャップが係脱部によってルアー先ハブにしっかりと取り付けられていて不用意に外れることがないので、キャップのラビリンス筒部とルアー先との嵌合部にラビリンス機構がしっかりと構成され、該ラビリンス機構によって前記キャップの外部から内部に微生物が侵入するのを確実に阻止することができる。
したがって、前記容器兼用注射器は、滅菌後医療現場でキャップを取り外して使用されるまで、前部のストッパーの先端からルアー先全体までの滅菌後における無菌性を確実に保証することができると共に、操作や取り扱いが容易である。
【００１０】
請求項２に係る容器兼用注射器によれば、請求項１に記載の容器兼用注射器と同様な効果を奏する他に、ルアー先ハブのバイパスチャンバー部の先端に前記ルアー先を囲む突出部が設けられていないので、キャップをルアー先ハブから外したとき、ルアー先の全体が露出するため、注射針をルアー先に容易に取り付けることができる。
【００１１】
請求項３に係る容器兼用注射器によれば、前部のストッパーの先端からルアー先に装着された注射針の全体までの滅菌後における無菌性を、プロテクターをルアー先ハブから外して使用するまでの間確実に保証することができると共に、請求項１に記載の容器兼用注射器と同様に外部カラーに注射針用のロックネジが設けられていないので、使用時に必要に応じて注射針の刃面位置を自由に調節することができ、操作や取り扱いが容易である。
【００１２】
請求項４に係る容器兼用注射器によれば、前部のストッパーの先端からルアー先または筒先に固定された注射針の全体までの滅菌後における無菌性を、プロテクターをルアー先ハブから外して使用するまでの間確実に保証することができると共に、請求項２に記載の容器兼用注射器と同様にルアー先や筒先を囲む突出物が存在しないので、注射をし易い利点がある。
【発明を実施するための最良の形態】
【００１３】
以下、本発明の実施の形態に係る容器兼用注射器について、添付図面を参照して説明する。
図１、図２は本発明の第１の実施の形態に係る容器兼用注射器１を示す。この容器兼用注射器１は、ガラス製の円筒形のシリンダ２と、該シリンダ２の先端部の外周に嵌着されたルアー先ハブ３と、前記シリンダ２の後端の外周部に嵌着された合成樹脂製のフィンガーグリップ４と、前記シリンダ２内にその軸方向に往復動可能に挿入されてシリンダ２内に充填された薬液（薬剤）を封止する前、後部のストッパー５ａ，５ｂと、前記シリンダ２内にその後端から挿入されて先端部を前記後部のストッパー５ｂに連結され、該後部のストッパー５ｂをシリンダ２の軸方向に往復動させるプランジャーロッド６と、前記ルアー先ハブ３のルアー先を覆うキャップ７とを備えている。
【００１４】
前記ルアー先ハブ３は、透明又は半透明な合成樹脂材料で構成され、前記シリンダ２の内径と等しいか僅かに大きい内径を有し前記前部のストッパー５ａが入り込むバイパスチャンバー８ａを設けたバイパスチャンバー部８と、該バイパスチャンバー部８の先端の中心部に一体に形成され、内孔９ａが前記バイパスチャンバー８ａに連通されたルアー先９と、前記バイパスチャンバー部８の後端にそれより大径として一体に形成された円筒状の嵌着部１０と、前記ルアー先９の外側に間隔をあけて前記バイパスチャンバー部８の前方に突き出してルアー先９と同心に設けられた外部カラー１１とを備え、前記嵌着部１０がその内穴１０ａを介して前記シリンダ２の先端部に嵌着されている。なお、前記ルアー先９は周知のように注射針の取付部としてＩＳＯ規格に適合したテーパ筒状に形成されている。
そして、前記外部カラー１１は、前記ルアー先９より長さがやや短くされ、先端側の内周部に横断面が円弧状に形成された環状溝（係止部）１２が周方向に連続して設けられている。なお、前記ルアー先ハブ３は、ハブルアーロック型の注射針保持部におけるルアーロック部の内周側のロックネジを削除し、ルアーロック部の先端側の内周部に前記環状溝１２を設けたものに相当している。
【００１５】
前記キャップ７は、透明又は半透明な合成樹脂材料で構成され、円筒状のキャップ本体１３と、該キャップ本体１３の基端側（図１、図２で右端側）に一体に設けられ前記ルアー先９に嵌合するテーパ穴１４ａを有する円筒状のラビリンス筒部１４と、キャップ本体１３の基端側の外周部に前記ラビリンス筒部１４の外側に位置して前記外部カラー１１側に突き出して設けられ、該外部カラー１１に挿入、嵌合されるリング状部１５と、該リング状部１５の外周に周方向に所定間隔をあけて設けられ、リング状部１５が外部カラー１１内に挿入されたときに前記外部カラー１１の環状溝１２に係合し得る突起（係合部）１６と、前記リング状部１５の外周にフランジ部１７のフランジ面１７ａに周方向に間隔をあけて配置され、前記外部カラー１１側に突き出して設けられた複数の突出部１８とを備えている。
【００１６】
前記ラビリンス筒部１４のテーパ穴１４ａには、螺旋状溝（環状溝）１４ｂが形成されており、ラビリンス筒部１４が前記ルアー先９に嵌合されたときには、螺旋状溝１４ｂの山部がルアー先９の外周面にに密着して、テーパ穴１４ａとルアー先９の外周面との間に蒸気や滅菌ガス、その他の気体を通す螺旋状の微小通路からなるラビリンス機構１９が構成されるようになっている。
そして、前記突出部１８は、前記キャップ７をそのラビリンス筒部１４を前記ルアー先９に嵌合させてルアー先ハブ３に装着したときに、前記突出部１８が外部カラー１１の先端面に当接することによって、フランジ部１７のフランジ面１７ａと外部カラー１１の先端面との対向面間に微小間隙２０を形成し、前記キャップ７の外側を、前記外部カラー１１とリング状部１６との嵌合隙間を通して前記ラビリンス機構１９に連通させる間隙形成部を構成している。
【００１７】
また、前記外部カラー１１と、該外部カラー１１の環状溝１２と、前記リング状部１５に形成された突起１６と、前記リング状部１５に設けられて突出部（間隙形成部）１８とは、前記キャップ７をルアー先ハブ３に押し込んで装着すると、前記外部カラー１１の先端がリング状部１５の突起１６によって弾力的に拡径されて前記環状溝１２に突起１６が係合されて、不用意にキャップ７がルアー先ハブ３から外れるのを防止し、また、キャップ７を一定以上の力でルアー先ハブ３から引き抜くと、前記環状溝１２と突起１６との係合が外れ、前記ルアー先ハブ３からキャップ７を取り外すことを可能とするキャップ７とルアー先ハブ３との間の係脱部２１を構成している。
【００１８】
前記係脱部２１においては、前記リング状部１５の外周に、複数の突起１６を設ける代わりに、前記外部カラー１１の環状溝１２に嵌合する環状突起を設け、その周方向に間隔をあけた複数位置に、ルアー先９の軸方向に向く溝または切欠部を設けた構成としてもよい。前記リング状部１５にその周方向に配置された複数の突起１６と前記溝または切欠部によって周方向に断続された環状突起（係合部）は、いずれも環状突起と見なすことができる。また、図３（ａ）に示すように、前記外部カラー１１の先端内周部に環状溝１２を設ける代わりに係止部としての雌ねじ（ねじ）１２ａを設け、前記リング状部１５に突起１６を設ける代わりに前記雌ねじ１２ａに螺合する係合部としての雄ねじ１６ａを設けた構成としたり、図３（ｂ）に示すように、前記外部カラー１１の長さを短くして、その先端外周に係止部としての雄ねじ（ねじ）１２ｂを形成し、前記キャップ７のリング状部１５の内周部に前記雄ねじ１２ｂに螺合する係合部としての雌ねじ（ねじ）１６ｂを設けた構成としてもよい。図３（ｂ）に示す構造のものは、前記外部カラー１１が短いために、前記ルアー先９への注射針の針もとを挿入する場合、その操作が容易である。
【００１９】
前記構成の容器兼用注射器１においては、例えば、フィンガーグリップ４を嵌着し内部に前部ストッパー５ａを挿入したシリンダ２にルアー先ハブ３を嵌着部１０を介して嵌着し、前記キャップ７のラビリンス筒部１４をルアー先ハブ３のルアー先９に嵌合させると共に、前記フランジ部１５のリング状部１６をルアー先ハブ３の外部カラー１１に嵌合させて、該外部カラー１１の環状溝１２に突起１７を係合させることにより、キャップ７をルアー先ハブ３に装着する。この状態で容器兼用注射器１を滅菌室内に搬送して、蒸気や滅菌ガスに接触させると、蒸気や滅菌ガスは、前記微小隙間２０から外部カラー１１とキャップ７のラビリンス筒１４の外側との間の空間Ｇに侵入した後、ラビリンス機構１９を経由してキャップ７内に入り、ルアー先９の内孔９ａを通ってバイパスチャンバー８ａに入り、シリンダー２の先端に挿入された前部ストッパー５ａの前面に至り、この間にこの経路の周面全てが蒸気や滅菌ガスに接触することによって滅菌される。
【００２０】
そして、前記のようにして滅菌された容器兼用注射器は、シリンダ２内に薬剤が充填されて、後部のストッパー５ｂにより封止された後に、適宜の包装体に収納されて医療現場等に供給される。医療現場では、医者は、所要時に包装体から容器兼用注射器１を取り出した後に、前記キャップ７を掴んでルアー先ハブ３から強めに引き抜くことにより、前記ルアー先ハブ３とキャップ７との係脱部２１の係合状態（外部カラー１１の環状溝１２とキャップ７のリング状部１５の突起１６または環状突起との係合）を解除して、前記ルアー先９からキャップ７を取り外す。しかる後に、滅菌済みの注射針を、その針もとを前記ルアー先９に挿入して容器兼用注射器１に装着して、患者等に薬剤を投与する。
【００２１】
前記実施の形態に係る容器兼用注射器１によれば、医者が注射針を容器兼用注射器１に装着する場合、前記ルアー先ハブ３の外部カラー１１には、従来のハブルアーロックのように注射針をルアーロック部に固定するロックネジが設けられていないので、注射針の針もとをルアー先９に回転しながら挿入する必要がないと共に、前記ロックネジと針もととの最終螺合位置によって注射針の刃面の向きが変化することもなく、医者は、注射針の刃面の位置を自由に選択し、例えば、容器兼用注射器１のフィンガーグリップ等の向きに合わせ、簡単に注射針を容器兼用注射器１へ装着することができる。
【００２２】
また、前記容器兼用注射器１は前記のように各部品の組み付け、滅菌、包装等の多くの工程を経た後に包装されて最終製品として出荷されるが、その間に、前記キャップ７は、前記係脱部２１によってルアー先ハブ３にしっかりと取り付けられていて、不用意に外れることないので、キャップ７のラビリンス筒部１４とルアー先９との嵌合部にラビリンス機構１９がしっかりと構成されており、前記キャップ７の外部からその内部に侵入しようとする微生物は前記ラビリンス機構１９によって侵入を阻止される。したがって、前記容器兼用注射器１は、滅菌後医療現場でキャップ７を取り外して使用されるまで、前部のストッパー５ａの先端からルアー先９の全体までの滅菌後における無菌性を保証することができる。
【００２３】
次に、図４は本発明の第２の実施の形態に係る容器兼用注射器１Ａを示す。
この容器兼用注射器１Ａは、第１の実施の形態に係る容器兼用注射器１におけるルアー先ハブ３の外部カラー１１を削除すると共に、前記ルアー先ハブ３の先端に円筒状の筒先基部２２を介して前記ルアー先９を一体に結合し、キャップ７Ａのキャップ本体１３の基端側（図４で右端側）の筒部（ラビリンス筒部）１４に設けたテーパ穴１４ａを前記ルアー先９に嵌合させると共に、キャップ本体１３の基端のリング状部１５を係脱部２１を介して前記筒先基部２２に着脱可能に接続することにより、前記キャップ７Ａをルアー先ハブ３に装着するように構成したものである。その他の構成は第１の実施の形態に係る容器兼用注射器１と同様であるので、同一の部分には同一の符号を付して、それらの説明は省略する。
【００２４】
前記筒先基部２２の外周には、図４（ａ）に示すように、横断面が円弧状の環状溝（係止部）２２ａが周方向に連続して形成されている。また、前記キャップ７Ａの基端部の外周側にリング状部１５が一体に設けられ、該リング状部１５の基端側の内周面には、周方向に間隔をあけて内側に突出する断面が円弧状の突起（係合部）２４が設けられている。また、前記リング状部１５の内側に形成されたフランジ部１７のフランジ面１７ａには、前記筒先基部２２の先端面に当接する突出部（間隙形成部）１８がフランジ面１７ａの周方向に間隔をあけて複数個設けられており、前記キャップ７Ａをルアー先ハブ３に装着したとき、前記フランジ部１７のフランジ面１７ａと筒先基部２２の先端面との間に微小間隙２０が形成されるようになっている。
【００２５】
なお、図４（ｂ）に示すように、前記筒先基部２２に環状溝２２ａを設ける代わりに、筒先基部２２の直径方向に対向する箇所に部分的な係止部としての雄ねじ（ねじ）２２ｂを設け、前記リング状部１５に突起２４を設ける代わりに、直径方向の対向する部分に前記雄ねじ２２ｂに螺合する係合部としての雌ねじ（ねじ）２４ａを設けて、キャップ７Ａを筒先基部２２に着脱可能に接続するようにしてもよい。前記筒先基部２２、環状溝２２ａまたは雄ねじ２２ｂ、キャップ７Ａのリング状部１５、突起２４または雌ねじ２４ａ、フランジ面１７ａの突出部１８等がキャップ７Ａをルアー先ハブ３に着脱可能に装着する係脱部２１を構成している。
【００２６】
前記容器兼用注射器１Ａにおいては、滅菌する場合には、容器兼用注射器１の場合と同様に、ルアー先ハブ３にキャップ７Ａを係脱部２１を介して装着した状態で行うと、蒸気や滅菌ガスはキャップ７Ａの外側から、前記微小間隙２０およびリング状部１５と筒先基部２２との嵌合隙間を経て前記ラビリンス機構１９の螺旋状の微小通路を通ってキャップ７Ａ内に入り、さらに、ルアー先９の内孔９ａを通ってバイパスチャンバー８ａ内に入り、シリンダ２の先端に挿入された前部ストッパー５ａの前面に至り、この間の各内外周面の全てが滅菌される。
【００２７】
この実施の形態に係る容器兼用注射器１Ａによれば、前記キャップ７Ａが、前記係脱部２１によってルアー先ハブ３の筒先基部２２にしっかりと取り付けられていて、前記ラビリンス機構１９によって微生物のキャップ７Ａ内への侵入を阻止されるので、前記実施の形態に係る容器兼用注射器１と同様に、前部ストッパー５ａの先端からルアー先９全体までの滅菌後における無菌性を保証する効果を奏することができる。さらに、前記容器兼用注射器１のようにルアー先ハブ３のバイパスチャンバー部８の先端に前記ルアー先９を囲む外部カラー１１を設けないので、前記キャップ７Ａをルアー先ハブ３から外したとき、ルアー先９の全体が露出するため、注射針をルアー先９に容易に取り付けることができる。
【００２８】
次に、図５は本発明の第３の実施の形態に係る容器兼用注射器１Ｂを示す。
この容器兼用注射器１Ｂは、針もと２５ａに針管２５ｂを取り付けてなる注射針２５を、第１の実施の形態に係る容器兼用注射器１におけるルアー先ハブ３のルアー先９に装着し、前記キャップ７に代わる注射針保護用のプロテクター７Ｂを、そのラビリンス筒部１４をルアー先９に嵌合させて前記ルアー先ハブ３の外部カラー１１に、係脱部２１を介して着脱可能に装着した構成とされている。その他の構成は前記容器兼用注射器１と同様であるので、同一の部分には同一の符号を付してそれらの説明は省略する。
【００２９】
前記注射針２５は、その針もと２５ａの内側のテーパ穴２５ｃをルアー先９に嵌合されてルアー先９に着脱可能に装着されている。そして、前記プロテクター７Ｂは、透明又は半透明の合成樹脂材料からなり、注射針２５を覆う関係から前記キャップ７より長尺に形成されている他は、基本的な構成はキャップ７と同じである。プロテクター７Ｂのプロテクター本体１３’に設けたラビリンス筒部１４のテーパ穴１４ａが、ルアー先９と同じ勾配のテーパ面に形成された前記注射針２５の針もと２５ａの外周部２５ｄに嵌合され、該針もと２５ａの外周部２５ｄとラビリンス筒部１４のテーパ穴１４ａとの間にラビリンス機構１９が形成されている。
【００３０】
前記容器兼用注射器１Ｂにおいては、滅菌する場合には、ルアー先９に注射針２５を装着すると共に、注射針２５の針もと２５ａにラビリンス筒部１４を嵌合させてプロテクター７Ｂをルアー先ハブ３に係脱部２１を介して装着した状態で行うと、蒸気や滅菌ガスがプロテクター７Ｂの外部から微小隙間２０および前記リング状部１５と外部カラー１１との嵌合隙間から、外部カラー１１の内面に入り、さらに前記ラビリンス機構１９の螺旋状の微小通路を通ってプロテクター７Ｂ内に入り、注射針の針管２５ｂ内を通って針もと２５ａ内に入り、さらにルアー先９の内孔９ａを通ってバイパスチャンバー８ａ内に入り、シリンダ２つの先端に挿入されている前部ストッパー５ａの前面に達することによって、この間の各内外面の全てが滅菌される。
【００３１】
この実施の形態に係る容器兼用注射器１Ｂによれば、前記プロテクター７Ｂを、前記係脱部２１によってルアー先ハブ３の外部カラー１１に確実に保持させることができると共に、前記ラビリンス機構１９によって微生物のプロテクター７Ｂ内への侵入が阻止されるため、前部ストッパー５ａの先端からルアー先９に装着されている注射針２５の全体までの滅菌後における無菌性を、前記プロテクター７Ｂを前記ルアー先ハブ３から外して使用するまでの間確実に保証することができる。
また、前記ルアー先ハブ３の外部カラー１１には、前記のように注射針２５を固定するロックネジが設けられていないので、注射時に医者が注射針２５の針もと２５ａをルアー先９の回りに回転させて注射針２５の刃面２５ｅの向きを必要に応じて自由に調節することができる。
【００３２】
次に、図６は本発明の第４の実施の形態に係る容器兼用注射器１Ｃを示す。
この容器兼用注射器１Ｃは、第２の実施の形態に係る容器兼用注射器１Ａにおける外周をテーパ面とした注射針取付部としてのルアー先９（図６（ａ）参照）または外周を平行面とした筒先（注射針取付部）９’（図６（ｂ）参照）に直接に注射針の針管２６が固定された構成に相当するものであり、キャップ７Ａと基本的に同様な構成とされた注射針保護用のプロテクター７Ｃが、キャップ７Ａに代わって、前記変形のルアー先ハブ３の筒先基部２２に係脱部２１を介して着脱可能に装着されている。この実施の形態に係る容器兼用注射器１Ｃにおいても、前記係脱部２１における構成として、図６に示すように、前記筒先基部２２の雄ねじ２２ｂにリング状部１５の雌ねじ２４ａを螺合させる形式（図４（ｂ）に図示の形式に相当）や、筒先基部２２の環状溝２２ａにリング状部１６の突起２４を係合させる形式（図４（ａ）に図示の形式に相当）を採用することができる。
【００３３】
この実施の形態に係る容器兼用注射器１Ｃにおいては、滅菌する場合には、容器兼用注射器１Ａの場合と同様に、ルアー先ハブ３にプロテクター７Ｃを係脱部２１を介して装着した状態で行うと、蒸気や滅菌ガスはプロテクター７Ｃの外側から微小間隙２０を通り、前記リング状部１５と筒先基部２２との嵌合隙間を経て、前記ラビリンス機構１９の螺旋状の微小通路を通ってプロテクター７Ｃ内に入り、注射針の針管２６内を通ってバイパスチャンバー８ａ内に入り、シリンダ２の先端に挿入されている前部ストッパー５ａの前面に達し、この間の各内外面の全てが滅菌される。
【００３４】
この実施の形態に係る容器兼用注射器１Ｃによれば、前記プロテクター７Ｃが前記容器兼用注射器１のキャップ７Ａと同様に、前記係脱部２１によってルアー先ハブ３の筒先基部２２にしっかりと取り付けられていて、前記ラビリンス機構１９によって微生物のプロテクター７Ｃ内への侵入が阻止されるので、前部ストッパーの先端からルアー先９または筒先９’に固定された注射針の針管２６の全体までの滅菌後における無菌性を、前記プロテクター７Ｃを前記ルアー先ハブ３から外して使用するまでの間確実に保証することができる。また、ルアー先９や筒先９’を囲む前記容器兼用注射器１，１Ｂにおける外部カラー１１のような突出物が存在しないので、注射をし易い利点がある。
【００３５】
なお、前記実施の形態に係る容器兼用注射器１，１Ａ，１Ｂ，１Ｃにおいては、前記シリンダ２内に前部ストッパー５ａを挿入した状態でシリンダ２にルアー先ハブ３を装着して、該ルアー先ハブ３にキャップ７，７Ａまたはプロテクター７Ｂ，７Ｃを装着して滅菌をする場合について説明したが、これに限らず、本発明に係る容器兼用注射器は、前部ストッパー５ａを挿入しないまま、前記のようにルアー先ハブ３とキャップ７，７Ａまたはプロテクター７Ｂ，７Ｃを装着して滅菌することもできる。この場合には、蒸気や滅菌ガスは、前記の場合とは異なり、シリンダ２の内側に直接入ることによって、また、キャップ７の外側から前記微小間隙２０、前記ラビリンス機構１９等を経ることによって注射器内部に入って、それらの接触面の全体を滅菌する。
【図面の簡単な説明】
【００３６】
【図１】本発明の第１の実施の形態に係る容器兼用注射器を示す縦断面図である。
【図２】同じく要部の拡大断面図である。
【図３】同じく要部（キャップと注射針保持筒との係脱部の変形例）の拡大断面図である。
【図４】本発明の第２の実施の形態に係る容器兼用注射器を示す縦断面図である。
【図５】本発明の第３の実施の形態に係る容器兼用注射器を示す縦断面図である。
【図６】本発明の第４の実施の形態に係る容器兼用注射器を一部縦断面で示した側面図である。
【符号の説明】
【００３７】
１，１Ａ，１Ｂ，１Ｃ  容器兼用注射器
２  シリンダ
３  ルアー先ハブ
５ａ，５ｂ  前、後部ストッパー
７，７Ａ  キャップ
７Ｂ，７Ｃ  プロテクタ
８  バイパスチャンバー部
８ａ  バイパスチャンバー
９  ルアー先
９’  筒先（針取付部）
１１  外部カラー
１２，２２ａ  環状溝（係止部）
１２ａ，１６ｂ，２４ａ  雌ねじ（ねじ）
１２ｂ，１６ａ、２２ｂ  雄ねじ（ねじ）  
１４  ラビリンス筒部
１５  リング状部
１６，２４  突起（係合部）
１７  フランジ
１８  突出部
１９  ラビリンス機構
２０  微小間隙
２２  筒先基部
２１  係脱部
２５  注射針
２５ａ  針もと
２６  針管
【図１】
0004555766.tif 000002
【図２】
0004555766.tif 000003
【図３】
0004555766.tif 000004
【図４】
0004555766.tif 000005
【図５】
0004555766.tif 000006
【図６】
0004555766.tif 000007